(57)【特許請求の範囲】
【請求項１】
測定の対象であるＮ（正の整数）の被測定機器と、前記被測定機器から指定された測定項目について前記被測定機器の測定を行うことができるＭ（正の整数）の測定器と、前記被測定機器と前記被測定機器が指定した測定器とを、前記測定項目の内容に対応した伝送路によって接続する伝送路接続装置とを備え、前記被測定機器は、自分を測定の対象として設定された測定項目の測定が可能な測定器を前記Ｍの測定器の中から選択し、選択した前記測定器に対して、前記測定項目についての測定要求に対応できる状態にあるか否かを問い合せし、また、前記伝送路接続装置に対して、自分が選択した前記測定器と自分とを接続する接続要求に対応できる状態にあるか否かを問い合せしそれぞれ対応できる状態にあることを確認した後、前記測定器と前記伝送路接続装置とを前記測定項目の測定のために使用する旨を前記測定器と前記伝送路接続装置とに通知し、前記伝送路接続装置に対して前記測定器と自分とを接続させて前記測定器に前記測定項目を測定させることを特徴とする自動測定システム。
【請求項２】
測定の対象であるＮ（正の整数）の被測定機器と、通信ネットワークを介して前記被測定機器から測定要求を受けて、前記被測定機器に指定された測定項目について前記被測定機器の測定を行うことができるＭ（正の整数）の測定器と、前記通信ネットワークを介して前記被測定機器から接続要求を受けて、前記被測定機器と前記被測定機器が指定した測定器とを、前記測定項目の内容に対応した測定信号伝送路によって接続する伝送路接続装置とを備え、
前記被測定機器は、前記測定要求及び前記接続要求を行うために、前記測定器及び前記伝送路接続装置が前記被測定機器の前記測定要求及び前記接続要求に対応できる状態にあるか否かを前記測定器及び前記伝送路接続装置に対して前記測定要求の前段階の問い合せを行い、前記測定器及び前記伝送路接続装置はそれぞれ、自分が前記被測定機器の前記測定要求に対応できる状態にあるか否かを判定し、前記被測定機器の前記問い合せに対する応答として前記判定結果をそれぞれ前記被測定機器に通知し、前記被測定機器は、前記測定器及び前記伝送路接続装置から、前記問い合せに対する判定結果を受信し、前記問い合せに対する前記測定器及び前記伝送路接続装置からの判定結果が、前記問い合せに対応できるものであるときは、前記測定器を前記被測定機器の測定に使用する旨の使用通知を前記測定器に通知し、前記使用通知を受け取った前記測定器は前記問い合せを前記測定要求として扱い前記測定要求に基づいて測定動作に入り、また、前記伝送路接続装置を前記被測定機器の測定に使用する旨の使用通知を前記伝送路接続装置に通知し、前記使用通知を受け取った前記伝送路接続装置は前記問い合せを前記接続要求として扱い前記接続要求に基づいて接続動作に入り、前記測定器及び前記伝送路接続装置はそれぞれ、前記被測定機器からの前記使用通知に対して応答し、前記測定器は、前記測定の終了後に前記被測定機器及び前記伝送路接続装置に測定の終了を通知し、前記伝送路接続装置は接続動作を解除し、前記測定器は前記被測定機器に測定結果を通知することを特徴とする自動測定システム。
【請求項３】
請求項２記載の自動測定システムにおいて、前記Ｎの被測定機器のそれぞれは、（Ａ）前記測定器の測定対象となる被測定機器本体の機能を備える被測定機器本体機能部、（Ｂ）前記被測定機器本体機能部に対して前記測定機により行われる前記測定項目一覧、前記測定項目一覧に示される各測定項目の測定が可能な測定器の一覧、及び前記測定項目の測定信号の伝送路として使用する、各測定項目の内容に対応した測定信号伝送路一覧を示す測定項目テーブルと、前記Ｍの測定器及び前記伝送路接続装置の前記通信ネットワーク上のアドレスの一覧を示すアドレステーブルとを格納する第１の記憶部、（Ｃ）前記測定が行われるときに、前記測定項目の種別及び前記測定が行われる時間を示す測定時間とともに前記測定を要求するための測定指示を入力する指示入力部（Ｄ）前記通信ネットワークの通信プロトコルを有し、前記測定器及び前記伝送路接続装置との間での、前記測定のための交信を前記通信プロトコルに従って行う第１の通信ネットワーク・インタフェース部、（Ｅ）前記測定項目の内容に対応した前記測定信号伝送路を介して、前記伝送路接続装置に前記被測定機器本体機能部を接続する伝送路接続動作、及び測定が終了したときに伝送路解放動作を行う第１の測定信号伝送路インタフェース部、（Ｆ）前記指示入力部から入力された前記測定指示に基づいて、前記測定項目の測定が可能な測定器と前記測定要求に指定される前記測定信号伝送路とを前記測定項目テーブル上から読み出し、前記測定項目テーブル上から読み出した前記測定信号伝送路と前記測定時間とを前記測定条件として前記測定要求の前段階としての問い合せメッセージを生成し、前記第１の通信ネットワーク・インタフェース部を介して、前記測定項目テーブル上から読み出した前記測定項目の測定が可能な測定器宛に前記測定要求の問い合せメッセージを送信して前記測定要求のための問い合せを行い、また、前記測定項目テーブル上から読み出した前記測定信号伝送路と前記測定時間とを前記接続条件として前記接続要求の前段階としての問い合せメッセージを生成し、前記第１の通信ネットワーク・インタフェース部を介して、前記伝送路接続装置に前記接続要求の問い合せメッセージを送信して前記接続要求のための問い合せを行い、且つ前記接続要求に示された測定信号伝送路及び測定時間の情報に基づいて第１の測定信号伝送路インタフェース部を制御する第１の測定処理制御部、を備え、前記Ｍの測定器のそれぞれは、（Ｇ）前記被測定機器を測定するための、測定機本体の機能を備える測定機本体機能部、（Ｈ）前記Ｎの被測定機器及び前記伝送路接続装置の前記通信ネットワーク上のアドレスの一覧を示すアドレステーブルを格納する第２の記憶部、（Ｉ）前記通信ネットワークの通信プロトコルを有し、前記被測定機器及び前記伝送路接続装置との間での、前記測定のための交信を前記通信プロトコルに従って行う第２の通信ネットワーク・インタフェース部、（Ｊ）前記測定項目の内容に対応した測定信号伝送路を介して、前記伝送路接続装置に前記測定器本体機能部を接続する伝送路接続動作、及び測定が終了したときに伝送路解放動作を行う第２の測定信号伝送路インタフェース部、（Ｋ）前記第２の通信ネットワーク・インタフェース部を介して前記被測定機器と交信し、前記被測定機器との交信で前記被測定機器から受信した前記測定要求に従って前記測定信号伝送路インタフェース部を制御し、前記被測定機器からの前記測定要求に従って測定を行うよう前記測定機器本体機能部を制御する第２の測定処理制御部、を備え、前記伝送路接続装置は、（Ｌ）前記Ｎの被測定機器及び前記Ｍの測定器の前記通信ネットワーク上のアドレスの一覧を示すアドレステーブルを格納する第３の記憶部、（Ｍ）前記通信ネットワークの通信プロトコルを有し、前記被測定機器及び前記被測定機器が指定する測定器との間での、前記測定のための交信を前記通信プロトコルに従って行う第３の通信ネットワーク・インタフェース部、（Ｎ）前記接続要求に従って、前記被測定機器と前記被測定機器が指定する測定器とを前記測定信号伝送路を介して接続する伝送路接続動作、及び測定が終了したときに伝送路解放動作を行う測定信号伝送路接続部、（Ｏ）前記第３の通信ネットワーク・インタフェース部を介して前記被測定機器と交信し、前記被測定機器との交信で前記被測定機器から受信した前記接続要求に従って前記測定信号伝送路接続部を制御する第３の測定処理制御部、を備えることを特徴とする自動測定システム。
【請求項４】
請求項２又は請求項３記載の自動測定システムにおいて、前記被測定機器は、前記測定器から、前記問い合せに対する前記判定結果を受信したとき、前記判定結果が前記被測定機器の測定要求に対応できないものであるときは、前記被測定機器は改めて前記測定項目の測定が可能な他の測定器に前記問い合せと同様の問い合せを行うことを特徴とする自動測定システム。
【請求項５】
請求項２、請求項３又は請求項４記載の自動測定システムにおいて、前記Ｎの被測定機器はそれぞれ、前記測定器に測定を要求するときの優先順位を示す、あらかじめ定められた優先順位ランクを付与されており、前記測定器は、前記被測定機器からの測定要求の処理中に、より優先順位の高い前記優先順位ランクを有する他の被測定機器の測定要求を受けた場合、又は、障害が発生し処理を継続できない場合には、前記被測定機器からの測定要求の処理を中止して前記被測定機器との接続を解除する手段を備えることを特徴とする自動測定システム。
【請求項６】
請求項２、請求項３又は請求項４記載の自動測定システムにおいて、前記Ｎの被測定機器はそれぞれ、前記測定器に測定を要求するときの優先順位を示す、あらかじめ定められた優先順位ランクを付与されており、前記測定器は、前記被測定機器からの測定要求の処理中に、より優先順位の高い他の被測定機器の測定要求を受けた場合には、前記被測定機器からの測定要求の処理を中断して前記被測定機器との接続を一時的に解除する手段を備えることを特徴とする自動測定システム。
【請求項７】
請求項２、請求項３、請求項４、請求項５又は請求項６記載の自動測定システムにおいて、前記通信ネットワークはインターネットであることを特徴とする自動測定システム。
【発明の詳細な説明】
【０００１】
【発明の属する技術分野】
本発明は自動測定システムに関し、測定器、測定の対象となる被測定機器、及び測定器と被測定機器とを接続する伝送路接続装置とから構成される自動測定システムに関する。
【０００２】
【従来の技術】
近年、様々な分野で用いられている各種の電子機器の性能データの測定を、制御装置によって制御される測定器によって自動的に行う技術が開発されてきているが、例えば、特開２００１−１２４８１１号公報にも、オーディオ機器等の電子機器の場合を一例とした自動測定技術が開示されている。
【０００３】
この特開２００１−１２４８１１号公報に開示されている自動測定技術では、指定された測定項目に対応する測定条件が所定のフォーマットで表示され、表示された複数の測定条件の中から被測定機器に適合した測定条件が選択・設定され、この設定された測定条件に基づいて自動測定が行われるようになっている。
【０００４】
さらに、測定の対象である被測定機器を、被測定機器とは離れた場所に設置された測定器によって、通信ネットワーク回線を介して遠隔測定する技術も開発されている。例えば、移動無線システムにおいては、各地に散在する無線基地局を地区ごとに分けて、それぞれの地区内の複数の無線基地局を管理する管理センターを設置し、上記管理センターが、地区内の複数の無線基地局にそれぞれ設置されている送受信設備等の電子機器の、周波数特性、出力パワー、変調度、及びビット誤り率等の諸性能データを、上記管理センター内に設けられた、周波数アナライザや出力計等の各種の測定器により測定し取得することが行われている。
【０００５】
このようなシステムの場合は、各地に散在する無線基地局内の被測定機器と離れた場所に設置された測定器との間で測定のための制御信号や測定されたデータ信号を送受信することにより遠隔測定が行われる。そして、上述したような自動測定技術を使用して多くの被測定機器を測定する場合、上記管理センター内に設置された複数の測定器を中央制御装置によって集中監視制御し、それぞれの測定器を管理するような構成になっている。
【０００６】
しかし、中央制御装置によってシステム構成全体を把握し、中央制御装置を中心とした制御系を構築する必要があってシステムが複雑なものになるとともに、測定系を構成する各装置・機器の増設や削減を容易に行うことが困難となっている。
【０００７】
【発明が解決しようとする課題】
上述した従来の自動測定システムでは、複数の自動測定器を中央制御装置によって集中監視制御しそれぞれの自動測定器を管理するような構成になっている場合は、中央制御装置によってシステム構成全体を把握し、中央制御装置を中心とした制御系を構築する必要があってシステムが複雑なものになるとともに、測定系を構成する各装置・機器の増設や削減を容易に行うことが困難であるという欠点を有している。
【０００８】
本発明の目的は、従来システムよりもシステム全体の把握の必要性を少なくして、測定系を構成する各装置・機器の増設や削減を容易に行うことができる自動測定システムを提供することにある。
【０００９】
【課題を解決するための手段】
第１の発明の自動測定システムは、測定の対象であるＮ（正の整数）の被測定機器と、前記被測定機器から指定された測定項目について前記被測定機器の測定を行うことができるＭ（正の整数）の測定器と、前記被測定機器と前記被測定機器が指定した測定器とを、前記測定項目の内容に対応した伝送路によって接続する伝送路接続装置とを備え、前記被測定機器は、自分を測定の対象として設定された測定項目の測定が可能な測定器を前記Ｍの測定器の中から選択し、選択した前記測定器に対して、前記測定項目についての測定要求に対応できる状態にあるか否かを問い合せし、また、前記伝送路接続装置に対して、自分が選択した前記測定器と自分とを接続する接続要求に対応できる状態にあるか否かを問い合せしそれぞれ対応できる状態にあることを確認した後、前記測定器と前記伝送路接続装置とを前記測定項目の測定のために使用する旨を前記測定器と前記伝送路接続装置とに通知し、前記伝送路接続装置に対して前記測定器と自分とを接続させて前記測定器に前記測定項目を測定させることを特徴として構成される。
【００１０】
また、第２の発明の自動測定システムは、測定の対象であるＮ（正の整数）の被測定機器と、通信ネットワークを介して前記被測定機器から測定要求を受けて、前記被測定機器に指定された測定項目について前記被測定機器の測定を行うことができるＭ（正の整数）の測定器と、前記通信ネットワークを介して前記被測定機器から接続要求を受けて、前記被測定機器と前記被測定機器が指定した測定器とを、前記測定項目の内容に対応した測定信号伝送路によって接続する伝送路接続装置とを備え、
前記被測定機器は、前記測定要求及び前記接続要求を行うために、前記測定器及び前記伝送路接続装置が前記被測定機器の前記測定要求及び前記接続要求に対応できる状態にあるか否かを前記測定器及び前記伝送路接続装置に対して前記測定要求の前段階の問い合せを行い、前記測定器及び前記伝送路接続装置はそれぞれ、自分が前記被測定機器の前記測定要求に対応できる状態にあるか否かを判定し、前記被測定機器の前記問い合せに対する応答として前記判定結果をそれぞれ前記被測定機器に通知し、前記被測定機器は、前記測定器及び前記伝送路接続装置から、前記問い合せに対する判定結果を受信し、前記問い合せに対する前記測定器及び前記伝送路接続装置からの判定結果が、前記問い合せに対応できるものであるときは、前記測定器を前記被測定機器の測定に使用する旨の使用通知を前記測定器に通知し、前記使用通知を受け取った前記測定器は前記問い合せを前記測定要求として扱い前記測定要求に基づいて測定動作に入り、また、前記伝送路接続装置を前記被測定機器の測定に使用する旨の使用通知を前記伝送路接続装置に通知し、前記使用通知を受け取った前記伝送路接続装置は前記問い合せを前記接続要求として扱い前記接続要求に基づいて接続動作に入り、前記測定器及び前記伝送路接続装置はそれぞれ、前記被測定機器からの前記使用通知に対して応答し、前記測定器は、前記測定の終了後に前記被測定機器及び前記伝送路接続装置に測定の終了を通知し、前記伝送路接続装置は接続動作を解除し、前記測定器は前記被測定機器に測定結果を通知することを特徴として構成される。
【００１１】
また、第３の発明の自動測定システムは、第２の発明の自動測定システムにおいて、前記Ｎの被測定機器のそれぞれは、（Ａ）前記測定器の測定対象となる被測定機器本体の機能を備える被測定機器本体機能部、（Ｂ）前記被測定機器本体機能部に対して前記測定機により行われる前記測定項目一覧、前記測定項目一覧に示される各測定項目の測定が可能な測定器の一覧、及び前記測定項目の測定信号の伝送路として使用する、各測定項目の内容に対応した測定信号伝送路一覧を示す測定項目テーブルと、前記Ｍの測定器及び前記伝送路接続装置の前記通信ネットワーク上のアドレスの一覧を示すアドレステーブルとを格納する第１の記憶部、（Ｃ）前記測定が行われるときに、前記測定項目の種別及び前記測定が行われる時間を示す測定時間とともに前記測定を要求するための測定指示を入力する指示入力部（Ｄ）前記通信ネットワークの通信プロトコルを有し、前記測定器及び前記伝送路接続装置との間での、前記測定のための交信を前記通信プロトコルに従って行う第１の通信ネットワーク・インタフェース部、（Ｅ）前記測定項目の内容に対応した前記測定信号伝送路を介して、前記伝送路接続装置に前記被測定機器本体機能部を接続する伝送路接続動作、及び測定が終了したときに伝送路解放動作を行う第１の測定信号伝送路インタフェース部、（Ｆ）前記指示入力部から入力された前記測定指示に基づいて、前記測定項目の測定が可能な測定器と前記測定要求に指定される前記測定信号伝送路とを前記測定項目テーブル上から読み出し、前記測定項目テーブル上から読み出した前記測定信号伝送路と前記測定時間とを前記測定条件として前記測定要求の前段階としての問い合せメッセージを生成し、前記第１の通信ネットワーク・インタフェース部を介して、前記測定項目テーブル上から読み出した前記測定項目の測定が可能な測定器宛に前記測定要求の問い合せメッセージを送信して前記測定要求のための問い合せを行い、また、前記測定項目テーブル上から読み出した前記測定信号伝送路と前記測定時間とを前記接続条件として前記接続要求の前段階としての問い合せメッセージを生成し、前記第１の通信ネットワーク・インタフェース部を介して、前記伝送路接続装置に前記接続要求の問い合せメッセージを送信して前記接続要求のための問い合せを行い、且つ前記接続要求に示された測定信号伝送路及び測定時間の情報に基づいて第１の測定信号伝送路インタフェース部を制御する第１の測定処理制御部、を備え、前記Ｍの測定器のそれぞれは、（Ｇ）前記被測定機器を測定するための、測定機本体の機能を備える測定機本体機能部、（Ｈ）前記Ｎの被測定機器及び前記伝送路接続装置の前記通信ネットワーク上のアドレスの一覧を示すアドレステーブルを格納する第２の記憶部、（Ｉ）前記通信ネットワークの通信プロトコルを有し、前記被測定機器及び前記伝送路接続装置との間での、前記測定のための交信を前記通信プロトコルに従って行う第２の通信ネットワーク・インタフェース部、（Ｊ）前記測定項目の内容に対応した測定信号伝送路を介して、前記伝送路接続装置に前記測定器本体機能部を接続する伝送路接続動作、及び測定が終了したときに伝送路解放動作を行う第２の測定信号伝送路インタフェース部、（Ｋ）前記第２の通信ネットワーク・インタフェース部を介して前記被測定機器と交信し、前記被測定機器との交信で前記被測定機器から受信した前記測定要求に従って前記測定信号伝送路インタフェース部を制御し、前記被測定機器からの前記測定要求に従って測定を行うよう前記測定機器本体機能部を制御する第２の測定処理制御部、を備え、前記伝送路接続装置は、（Ｌ）前記Ｎの被測定機器及び前記Ｍの測定器の前記通信ネットワーク上のアドレスの一覧を示すアドレステーブルを格納する第３の記憶部、（Ｍ）前記通信ネットワークの通信プロトコルを有し、前記被測定機器及び前記被測定機器が指定する測定器との間での、前記測定のための交信を前記通信プロトコルに従って行う第３の通信ネットワーク・インタフェース部、（Ｎ）前記接続要求に従って、前記被測定機器と前記被測定機器が指定する測定器とを前記測定信号伝送路を介して接続する伝送路接続動作、及び測定が終了したときに伝送路解放動作を行う測定信号伝送路接続部、（Ｏ）前記第３の通信ネットワーク・インタフェース部を介して前記被測定機器と交信し、前記被測定機器との交信で前記被測定機器から受信した前記接続要求に従って前記測定信号伝送路接続部を制御する第３の測定処理制御部、を備えることを特徴として構成される。
【００１２】
また、第４の発明の自動測定システムは、第２の発明又は第３の発明の自動測定システムにおいて、前記被測定機器は、前記測定器から、前記問い合せに対する前記判定結果を受信したとき、前記判定結果が前記被測定機器の測定要求に対応できないものであるときは、前記被測定機器は改めて前記測定項目の測定が可能な他の測定器に前記問い合せと同様の問い合せを行うことを特徴として構成される。
【００１３】
また、第５の発明の自動測定システムは、第２の発明、第３の発明又は第４の発明の自動測定システムにおいて、前記Ｎの被測定機器はそれぞれ、前記測定器に測定を要求するときの優先順位を示す、あらかじめ定められた優先順位ランクを付与されており、前記測定器は、前記被測定機器からの測定要求の処理中に、より優先順位の高い前記優先順位ランクを有する他の被測定機器の測定要求を受けた場合、又は、障害が発生し処理を継続できない場合には、前記被測定機器からの測定要求の処理を中止して前記被測定機器との接続を解除する手段を備えることを特徴として構成される。
【００１４】
また、第６の発明の自動測定システムは、第２の発明、第３の発明又は第４の発明の自動測定システムにおいて、前記Ｎの被測定機器はそれぞれ、前記測定器に測定を要求するときの優先順位を示す、あらかじめ定められた優先順位ランクを付与されており、前記測定器は、前記被測定機器からの測定要求の処理中に、より優先順位の高い他の被測定機器の測定要求を受けた場合には、前記被測定機器からの測定要求の処理を中断して前記被測定機器との接続を一時的に解除する手段を備えることを特徴として構成される。
【００１５】
また、第７の発明の自動測定システムは、第２の発明、第３の発明、第４の発明、第５の発明又は第６の発明の自動測定システムにおいて、前記通信ネットワークはインターネットであることを特徴として構成される。
【００１６】
【発明の実施の形態】
次に、本発明の実施の形態について図面を参照して説明する。
【００１７】
図１は本発明の自動測定システムの実施の一形態を示すブロック図である。
【００１８】
図１に示す本実施の形態の自動測定システムは、通信ネットワーク１に通信回線１３ａ〜１３ｂにより接続され、また、測定信号伝送路ネットワーク２に測定信号伝送路１６ａ〜１６ｂにより接続された、測定の対象である複数の被測定機器３ａ〜３ｂと、通信ネットワーク１に通信回線１４ａ〜１４ｂにより接続され、また、測定信号伝送路ネットワーク２に測定信号伝送路１７ａ〜１７ｂにより接続されて、通信ネットワーク１を介して、被測定機器３ａ〜３ｂを測定するよう要求する測定要求を被測定機器３ａ〜３ｂから受信し、この測定要求に指定された測定項目について測定信号伝送路ネットワーク２を介して被測定機器３ａ〜３ｂを測定することができる複数の測定器４ａ〜４ｂと、通信ネットワーク１に通信回線１５により接続され、また、測定信号伝送路１６ａ〜１６ｂ及び測定信号伝送路１７ａ〜１７ｂにより、測定信号伝送路ネットワーク２を介して複数の被測定機器３ａ〜３ｂと複数の測定器４ａ〜４ｂとに接続されて、被測定機器３ａ〜３ｂが指定する測定器４ａ〜４ｂと被測定機器３ａ〜３ｂとを接続するよう要求する接続要求を、通信ネットワーク１を介して被測定機器３ａ〜３ｂから受信し、被測定機器３ａ〜３ｂが指定する測定器４ａ〜４ｂと被測定機器３ａ〜３ｂとを、測定信号伝送路１６ａ〜１６ｂ及び測定信号伝送路１７ａ〜１７ｂの中の、接続要求の示す測定項目の内容に対応した、すなわち測定項目の内容に適した測定信号伝送路によって接続する伝送路接続装置５とから構成される。
【００１９】
図１に示す本実施の形態の自動測定システムは、上記のように構成されて、被測定機器３ａ〜３ｂはそれぞれ、自分を測定の対象として設定された測定項目の測定が可能な測定器を測定器４ａ〜４ｂの中から選択し、選択したその測定器に対して、自分を測定の対象として設定された上記測定項目についての測定要求に対応できる状態にあるか否かを問い合せし、また、伝送路接続装置５に対して、自分が選択した測定器と自分とを接続する接続要求に対応できる状態にあるか否かを問い合せし、それぞれが対応できる状態にあることを確認した後に、その測定器と伝送路接続装置５とを上記測定項目の測定のために使用する旨を上記の選択された測定器と伝送路接続装置５とに通知し、伝送路接続装置５に対して選択した測定器と自分とを接続させて、選択した上記測定器に上記測定項目を測定させることができる。
【００２０】
なお、図１に示す複数の被測定機器３ａ〜３ｂは、一例として、移動無線システムの複数の無線基地局にそれぞれ設置された複数の無線送信機を示しているものとし、また、複数の測定器４ａ〜４ｂは、前記複数の無線基地局がある地区の管理センターに設置された各種の測定器であり、被測定機器３ａ〜３ｂの各種の測定項目を測定する測定器であるものとする。さらに、伝送路接続装置５も上記管理センターに設置されて、被測定機器３ａ〜３ｂと測定器４ａ〜４ｂを接続するものとする。
【００２１】
また、測定信号伝送路１６ａ〜１６ｂ及び測定信号伝送路１７ａ〜１７ｂは、それぞれが各種の測定項目の内容に適した線種を含み、例えば、光ケーブルあるいは同軸ケーブル等の、測定信号の伝送路として必要な線種を含むものとする。
【００２２】
すなわち、複数の被測定機器３ａ〜３ｂはそれぞれ伝送路接続装置５に、それぞれが測定信号の伝送用として必要な上記線種を含む測定信号伝送路１６ａ〜１６ｂを介して接続され、また同様に、複数の測定器４ａ〜４ｂもそれぞれ伝送路接続装置５に直接、それぞれ測定信号の伝送用として必要な上記線種を含む測定信号伝送路１６ａ〜１６ｂを介して接続されるものとする。
【００２３】
次に、図２、図３、図４及び図５も参照して、被測定機器３ａ〜３ｂ、測定器４ａ〜４ｂ及び伝送路接続装置５の構成を説明する。
【００２４】
図２は本実施の形態の自動測定システムを構成する被測定機器３ａ〜３ｂの構成を示すブロック図である。図３は本実施の形態の自動測定システムを構成する測定器４ａ〜４ｂの構成を示すブロック図である。図４は本実施の形態の自動測定システムを構成する伝送路接続装置５の構成を示すブロック図である。図５は図２の記憶部に格納される測定項目テーブルを示す説明図である。
【００２５】
図２に示す被測定機器３ａ〜３ｂは、測定器４ａ〜４ｂの測定対象となる被測定機器本体の機能を備える被測定機器本体機能部３４と、被測定機器本体機能部３４に対して前記複数の測定機４ａ〜４ｂにより行われる測定項目を示す測定項目一覧、その測定項目一覧に示される各測定項目の測定に用いられる測定器の一覧、及び測定項目の測定信号の伝送路として使用する、各測定項目の内容に対応した測定信号伝送路の一覧を示す測定項目テーブル（図５参照）と測定器４ａ〜４ｂ及び伝送路接続装置５の通信ネットワーク１上のアドレスの一覧を示すアドレステーブル（図示せず）とを格納する記憶部３７と、上記測定が行われるときに、測定項目の種別及び測定が行われる時間を示す測定時間とともに測定を要求するための測定指示を入力する指示入力部３５と、指示入力部３５から入力される指示事項、及び上記指示事項に従って行われた接続要求に基づいて行われる被測定機器３ａ〜３ｂと測定器４ａ〜４ｂとの間の伝送路接続装置５による接続状態の状況等を表示する表示部３６と、通信ネットワーク１の通信プロトコルを有し、通信回線１３（図１の通信回線１３ａ〜１３ｂに対応）を介して通信ネットワーク１に接続され、測定器４ａ〜４ｂ及び伝送路接続装置５との間での、上記指示入力部からの指示に基づいて行われる測定のための交信を上記通信プロトコルに従って行う通信ネットワーク・インタフェース部３１と、測定項目の内容に対応した測定信号伝送路１６（図１の測定信号伝送路１６ａ〜１６ｂに対応）を介して、伝送路接続装置５に被測定機器本体機能部３４を接続する伝送路接続動作、及び測定が終了したときに伝送路解放動作を行う測定信号伝送路インタフェース部３２と、指示入力部３５から入力された測定指示に基づいて、各測定項目の測定に用いられる測定器と上記測定項目に指定される測定信号伝送路とを記憶部３７の測定項目テーブル上から読み出し、上記測定項目テーブル上から読み出した測定信号伝送路と測定時間とを測定条件として測定要求の前段階としての問い合せ信号を生成し、記憶部３７のアドレステーブル上から読み出したアドレスを使用して、通信ネットワーク・インタフェース部３１を介して、測定項目テーブル上から読み出した測定項目の測定に用いられる測定器宛に測定要求が可能か否かの問い合せを行うための問い合せ信号を送信して測定要求のための問い合せを行い、また、測定項目テーブル上から読み出した測定信号伝送路と測定時間とを前記接続条件として接続要求の前段階としての問い合せ信号を生成し、通信ネットワーク・インタフェース部３１を介して、伝送路接続装置５に接続要求の問い合せ信号を送信して前記接続要求のための問い合せを行い、且つ接続要求の問い合せ信号に示された測定信号伝送路及び測定時間の情報に基づいて測定信号伝送路インタフェース部３２を制御する測定処理制御部３３とから構成される。
【００２６】
また、図３に示す測定機４ａ〜４ｂはそれぞれ、被測定機器３ａ〜３ｂを測定するための、測定機本体の機能を備える測定機本体機能部４４と、被測定機器３ａ〜３ｂ及び伝送路接続装置５の通信ネットワーク１上のアドレスの一覧を示すアドレステーブル（図示せず）を格納する記憶部４７と、通信ネットワーク１の通信プロトコルを有し、通信回線１４（図１の通信回線１４ａ〜１４ｂに対応）を介して通信ネットワーク１に接続され、被測定機器３ａ〜３ｂと伝送路接続装置５との間での、測定のための交信を上記通信プロトコルに従って行う通信ネットワーク・インタフェース部４１と、測定項目の内容に対応した測定信号伝送路１７（図１の測定信号伝送路１７ａ〜１７ｂに対応）を介して、伝送路接続装置５に測定器本体機能部４４を接続する伝送路接続動作、及び測定が終了したときに伝送路解放動作を行う測定信号伝送路インタフェース部４２と、通信ネットワーク・インタフェース部４１を介して被測定機器３ａ〜３ｂと交信し、被測定機器３ａ〜３ｂとの交信で被測定機器３ａ〜３ｂから受信した測定要求に従って測定信号伝送路インタフェース部４２を制御し、且つ被測定機器３ａ〜３ｂからの測定要求に基づく測定を行うよう測定機器本体機能部４４を制御する測定処理制御部４３とから構成される。
【００２７】
また、図４に示す伝送路接続装置５は、被測定機器３ａ〜３ｂ及び測定器４ａ〜４ｂの通信ネットワーク１上のアドレスの一覧を示すアドレステーブル（図示せず）を格納する記憶部５７と、通信ネットワーク１の通信プロトコルを有し、被測定機器３ａ〜３ｂ及び測定器４ａ〜４ｂとの間での、測定のための交信を上記通信プロトコルに従って行う通信ネットワーク・インタフェース部５１と、接続要求に従って、被測定機器３ａ〜３ｂと被測定機器３ａ〜３ｂが指定する測定器４ａ〜４ｂとを測定項目の内容に対応した測定信号伝送路を介して接続する伝送路接続動作、及び測定が終了したときに伝送路解放動作を行う測定信号伝送路接続部５２と、通信ネットワーク・インタフェース部５１を介して被測定機器３ａ〜３ｂと交信し、被測定機器３ａ〜３ｂとの交信で被測定機器３ａ〜３ｂから受信した接続要求に従って測定信号伝送路接続部５２を制御する測定処理制御部５３とから構成される。
【００２８】
次に、図６も参照して、動作を説明する。
【００２９】
図６は、本実施の形態の自動測定システムにおける信号及び情報の流れを示す説明図である。
【００３０】
ここでは、動作説明の一例として、図１に示す被測定機器３ａにおいて、被測定機器３ａの被測定機器本体機能部３４についての測定項目である、例えば送信回路の「送信出力」を測定する場合について動作を説明する。
【００３１】
最初に、被測定機器３ａを管理保守するオペレータが、被測定機器３ａの指示入力部３５により、測定項目として「送信出力」を指定し、且つ「送信出力」の測定について希望する測定時間を入力して測定要求の指示入力を行うものとする。
【００３２】
被測定機器３ａの測定処理制御部３３は、指示入力部３５から測定項目として「送信出力」が入力されると、記憶部３７に格納されている、図５に示す測定項目テーブルの「測定項目」の欄を検索する。「測定項目」の欄で「送信出力」が検索されると、「送信出力」の測定に用いられる測定器を示す「測定器」の欄に格納された、「測定器Ａ」、「測定器Ｂ」及び「測定器Ｃ」の中の、順番として最初の「測定器Ａ」が検索される。なお、図１に示す測定器４ａが「測定器Ａ」であるものとする。
【００３３】
さらに、測定処理制御部３３は、測定項目テーブルから、上記測定項目の「送信出力」の「測定信号伝送路」欄を検索する。「測定信号伝送路」欄では、「送信出力」の測定に必要な「測定信号伝送路」として「ケーブル（１）」が検索される。
【００３４】
上記のように、測定処理制御部３３は、上記の測定項目の「送信出力」について、「送信出力」の測定に用いられる測定器として「測定器Ａ」、また測定信号伝送路として「ケーブル（１）」を検索することにより、「測定器Ａ」すなわち、測定器４ａの、通信ネットワーク１上のアドレスを、記憶部３７に格納されているアドレステーブルを検索して取得する。そして、測定処理制御部３３は、測定信号伝送路としての「ケーブル（１）」情報及び指示入力部３５から入力された「測定時間」情報を測定条件として含む、測定器４ａ宛の測定要求信号を生成する。
【００３５】
また、測定処理制御部３３は、伝送路接続装置５の、通信ネットワーク１上のアドレスを、記憶部３７に格納されているアドレステーブルを検索して取得し、測定信号伝送路としての「ケーブル（１）」情報及び指示入力部３５から入力された「測定時間」情報を接続条件として含む、伝送路接続装置５宛の接続要求情報を生成する。
【００３６】
そして、測定処理制御部３３は、測定器４ａに対して正式な測定要求信号を送信する前に、また伝送路接続装置５に対して正式な接続要求信号を送信する前に、測定器４ａがビジー状態や故障状態にはなく被測定機器３ａの測定要求に対応できる状態にあるか否かを事前の問い合せにより知るために、生成した上記測定要求情報を含んだ、図６に示す測定問合信号６１を測定器４ａに送信し、また、伝送路接続装置５がビジーの状態や故障状態にはなく被測定機器３ａの接続要求に対応できる状態にあるか否かを事前の問い合せにより知るために、生成した上記接続要求情報を含んだ接続問合信号６２を伝送路接続装置５に送信する。
【００３７】
一方、測定器４ａの測定処理制御部４３は、測定器４ａが被測定機器３ａからの測定問合信号６１に示された測定条件で被測定機器３ａを測定する要求に対応できる状態にあるか否かを、内蔵する動作履歴格納メモリ（図示せず）に格納されている情報に基づいて判定し、測定器４ａがビジー状態でもなく故障状態でもなく、被測定機器３ａからの問い合せに対応できると判定された場合は、被測定機器３ａからの問い合せに対する応答として被測定機器３ａに、上記判定結果を含んだ測定問合応答信号６３を送信する。なお、このとき被測定機器３ａの通信ネットワーク１上のアドレスは、記憶部４７に格納されているアドレステーブルを検索し取得して行う。
【００３８】
また、伝送路接続装置５の測定処理制御部５３も、伝送路接続装置５が被測定機器３ａからの接続問合信号６２に示された接続条件で被測定機器３ａの接続要求に対応できる状態にあるか否かを、内蔵する動作履歴格納メモリ（図示せず）に格納されている情報に基づいて判定し、伝送路接続装置５がビジー状態でもなく故障状態でもなく、被測定機器３ａからの問い合せに対応できると判定された場合は、被測定機器３ａからの問い合せに対する応答として被測定機器３ａに、上記判定結果を含んだ接続問合応答信号６４を送信する。なお、このとき被測定機器３ａの通信ネットワーク１上のアドレスは、記憶部５７に格納されているアドレステーブルを検索し取得して行う。
【００３９】
被測定機器３ａは、測定問合信号６１及び接続問合信号６２による問い合せに対しての測定器４ａ及び伝送路接続装置５からの判定結果を、上記測定問合応答信号６３及び接続問合応答信号６４の受信により取得し、問い合せに対する伝送路接続装置５及び測定器４ａからの判定結果が、測定問合信号６１及び接続問合信号６２による問い合せに対して対応できるものである場合は、すなわち、被測定機器３ａの測定要求及び接続要求に対応できるものである場合は、測定器４ａを被測定機器３ａの測定に使用する旨を示す測定要求信号６５を測定器４ａに対して送信し、また伝送路接続装置５を被測定機器３ａの測定のために使用する旨を示す接続要求信号６６を伝送路接続装置５に送信する。
【００４０】
測定器４ａでは、被測定機器３ａからの測定要求信号６５を受信し、測定処理制御部４３がこの測定要求信号６５に示される被測定機器３ａからの測定要求に対して、測定要求応答信号６７を被測定機器３ａに送信して応答し、伝送路接続装置５も、被測定機器３ａからの接続要求信号６６を受信し、測定処理制御部５３が上記接続要求信号６６に示される被測定機器３ａからの接続要求に対して、接続要求応答信号６８を被測定機器３ａに送信して応答する。
【００４１】
また、伝送路接続装置５は、上記接続要求信号６６に示される被測定機器３ａからの接続要求に基づいて、伝送路接続装置５では測定信号伝送路接続部５２が、被測定機器３ａに接続される測定信号伝送路１６ａと被測定機器３ａが指定する上記測定器４ａに接続される測定信号伝送路１７ａとを接続する。このとき、測定信号伝送路接続部５２は、測定信号伝送路１６ａ及び測定信号伝送路１７ａの中の、上記接続要求に指定された「ケーブル（１）」を用いて両者を接続する。すなわち、上記被測定機器３ａと測定器４ａとが測定項目の「送信回路の送信出力」内容に対応した測定信号伝送路の「ケーブル（１）」を介して接続される。
【００４２】
測定器４ａでは、測定処理制御部４３が測定信号伝送路インタフェース部４２を制御し、伝送路接続装置５に接続される測定信号伝送路１７ａの中の、上述した接続要求に指定される「ケーブル（１）」を測定器４ａの測定器本体機能部４４の入出力回路に接続する。
【００４３】
また、被測定機器３ａでも、測定要求応答信号６７及び接続要求応答信号６８を受信して、測定処理制御部３３が測定信号伝送路インタフェース部３２を制御し、伝送路接続装置５に接続される測定信号伝送路１６ａの中の、上述した接続要求に指定される「ケーブル（１）」を被測定機器３ａの被測定機器本体機能部３４の入出力回路に接続する。
【００４４】
上記のように、伝送路接続装置５を介して、上記被測定機器３ａの被測定機器本体機能部３４と測定器４ａの測定器本体機能部４４とが測定項目の「送信出力」の測定に対応した測定信号伝送路の「ケーブル（１）」により相互に接続されると、測定器４ａの測定処理制御部４３は、測定器本体機能部４４を制御して、測定器本体機能部４４と被測定機器３ａの被測定機器本体機能部３４との間での上記「送信出力」の測定を開始させる。
【００４５】
上記測定は、測定器本体機能部４４から測定制御信号７０が被測定機器３ａの被測定機器本体機能部３４へ送信され、この測定制御信号７０による制御に基づいて被測定機器本体機能部３４から「送信出力」の測定データ７１が測定器本体機能部４４へ送信され測定動作が行なわれる。
【００４６】
測定器４ａでは、測定機器本体機能部４４による被測定機器３ａに対する「送信出力」の測定が終了すると、測定機器本体機能部４４は測定の終了を測定処理制御部４３に通知し、さらに、測定処理制御部４３は、被測定機器３ａ及び伝送路接続装置５に対して、測定の終了を示す測定終了通知信号６９を送信することにより通知する。このとき被測定機器３ａ及び伝送路接続装置５の通信ネットワーク１上のアドレスは、記憶部４７に格納されているアドレステーブルを検索し取得して行う。
【００４７】
測定の終了を通知された被測定機器３ａでは、測定処理制御部３３は、測定信号伝送路インタフェース部３２を制御して、被測定機器本体機能部３４と測定信号伝送路１６ａとの接続を解除させる。
【００４８】
また、測定の終了を通知された伝送路接続装置５でも、測定処理制御部５３は、測定信号伝送路接続部５２を制御して、被測定機器３ａの被測定機器本体機能部３４と測定器４ａの測定器本体機能部４４との接続を解除させる。
【００４９】
測定器４ａでは、測定処理制御部４３が、測定信号伝送路インタフェース部４２を制御して、測定器本体機能部４４と測定信号伝送路１７ａとの接続を解除させる。
【００５０】
さらに、測定処理制御部４３は、通信ネットワーク・インタフェース部を介して、被測定機器３ａに測定結果を測定結果メッセージ７２として通知する。被測定機器３ａでは、測定処理制御部３３が測定器４ａから通知された測定結果メッセージ７２を表示部３６に表示する。
【００５１】
なお、上記の説明において、被測定機器３ａの測定処理制御部３３が、測定要求情報を生成し、測定器４ａが被測定機器３ａの測定要求に対応できる状態にあるか否かを問い合せして確認するために測定器４ａに対して、上記測定要求情報の内容を含む測定問合信号を測定器４ａに送信したときに、被測定機器３ａからの上記問い合せに対する測定器４ａからの判定結果が、被測定機器３ａの測定要求に対応できないものである場合は、被測定機器３ａは、測定項目テーブル上で前記測定項目の測定が可能となっている他の測定器に対して、改めて測定器４ａへの問い合せと同様の問い合せを行い、その問い合せの結果、被測定機器３ａの測定要求に対応できる状態にある測定器があったときには、上述した測定器４ａの場合と同様に、その測定器が被測定機器３ａに接続されて測定が行われる。しかし、上記の測定項目テーブル上で前記測定項目の測定が可能となっている他の測定器に対しての問い合せにおいても、被測定機器３ａの測定要求に対応できる状態にある測定器がなかったときには、被測定機器３ａの測定処理制御部３３はその旨を表示部３６に表示し動作を終了する。
【００５２】
また、被測定機器３ａの測定処理制御部３３が、接続要求信号を生成し、伝送路接続装置５が被測定機器３ａの接続要求に対応できる状態にあるか否かを確認するために、伝送路接続装置５に対して接続要求信号の内容を問い合せ信号として伝送路接続装置５に送信したときに、被測定機器３ａからの上記問い合せに対する伝送路接続装置５からの判定結果が、被測定機器３ａの接続要求に対応できないものである場合は、被測定機器３ａの測定処理制御部３３はその旨を表示部３６に表示し動作を終了する。
【００５３】
以上で、一例として挙げた、被測定機器３ａの被測定機器本体機能部３４についての測定項目である、「送信出力」を測定する場合についての動作説明を終了する。
【００５４】
なお、上記の説明における通信ネットワーク１としては、イントラネットあるいはインターネットを使用してもよい。
【００５５】
また、被測定機器３ａ〜３ｂにそれぞれ、測定器４ａ〜４ｂに測定を要求するときの優先順位を示す、あらかじめ定められた優先順位ランクを付与するようにして、例えば測定器４ａが、被測定機器３ａからの測定要求の処理中に、より優先順位の高い上記優先順位ランクを有する、他の被測定機器３ｂからの測定要求の問い合せを受けた場合、又は、障害が発生し処理を継続できないような場合には、被測定機器３ａからの測定要求の処理を中止して被測定機器３ａとの接続を解除するようにしてもよい。
【００５６】
また、上記優先順位ランクを付与した被測定機器３ａ〜３ｂにおいて、例えば測定器４が、被測定機器３ａからの測定要求の処理中に、より優先順位の高い上記優先順位ランクを有する、他の被測定機器３ｂからの測定要求の問い合せを受けた場合には、被測定機器３ａからの測定要求の処理を中断して被測定機器３ａとの接続を一時的に解除するようにしてもよい。
【００５７】
また、上記説明では、被測定機器３ａ〜３ｂからの測定の必要性に基づいて、被測定機器３ａ〜３ｂが、自分を測定の対象として設定された測定項目の測定が可能な測定器を選択し、選択した測定器に対して、自分を測定の対象として設定された測定項目についての測定要求に対応できる状態にあるか否かを問い合せし、また、伝送路接続装置５に対して、自分が選択した測定器と自分とを接続する接続要求に対応できる状態にあるか否かを問い合せし、それぞれ対応できる状態にあることを確認した後に、測定器と伝送路接続装置５とを測定のために使用する旨をその測定器と伝送路接続装置５とに通知し、伝送路接続装置５に測定器と自分とを接続させるように構成されているが、測定器４ａ〜４ｂ側からの測定の必要性に基づいて、測定器４ａ〜４ｂ側が、被測定機器３ａ〜３ｂの中から指定した被測定機器に対し、指定した測定項目について測定要求に対応できる状態にあるか否かを問い合せし、また、伝送路接続装置５に対して、指定した被測定機器と自分とを接続する接続要求に対応できる状態にあるか否かを問い合せし、それぞれ対応できる状態にあることが確認された後に、指定した上記の被測定機器と伝送路接続装置５とを測定のために使用する旨をその被測定機器と伝送路接続装置５とに通知し、伝送路接続装置５にその被測定機器と自分とを接続させてから測定を行うように構成してもよい。
【００５８】
【発明の効果】
以上説明したように、本発明の自動測定システムは、測定の対象である被測定機器と、被測定機器から指定された測定項目についてその被測定機器の測定を行うことができる測定器と、上記被測定機器と上記測定器とを、上記測定項目の内容に対応した伝送路によって接続する伝送路接続装置とを備えて、上記被測定機器が、自分を測定の対象として設定された測定項目の測定を可能とする測定器を選択し、選択した測定器に対して、自分を測定の対象として設定された測定項目についての測定要求に対応できる状態にあるか否かを問い合せし、また、伝送路接続装置に対して、自分が選択した測定器と自分とを接続する接続要求に対応できる状態にあるか否かを問い合せし、それぞれ対応できる状態にあることを確認した後に、上記測定器と伝送路接続装置とを測定のために使用する旨をその測定器と伝送路接続装置とに通知し、伝送路接続装置に測定器と自分とを接続させるように構成されたことにより、従来システムよりもシステム全体の把握の必要性を少なくして、測定系を構成する各装置・機器の増設や削減を容易に行うことができるという効果を有している。
【図面の簡単な説明】
【図１】本発明の自動測定システムの実施の一形態を示すブロック図である。
【図２】本実施の形態の自動測定システムを構成する被測定機器３ａ〜３ｂの構成を示すブロック図である。
【図３】本実施の形態の自動測定システムを構成する測定器４ａ〜４ｂの構成を示すブロック図である。
【図４】本実施の形態の自動測定システムを構成する伝送路接続装置５の構成を示すブロック図である。
【図５】図２の記憶部に格納される測定項目テーブルを示す説明図である。
【図６】本実施の形態の自動測定システムにおける信号及び情報の流れを示す説明図である。
【符号の説明】
１    通信ネットワーク
２    測定信号伝送路ネットワーク
３ａ〜３ｂ    被測定機器
４ａ〜４ｂ    測定器
５    伝送路接続装置
１３    通信回線
１３ａ〜１３ｂ    通信回線
１４    通信回線
１４ａ〜１４ｂ    通信回線
１５    通信回線
１６    測定信号伝送路
１６ａ〜１６ｂ    測定信号伝送路
１７    測定信号伝送路
１７ａ〜１７ｂ    測定信号伝送路
３１    通信ネットワーク・インタフェース部
３２    測定信号伝送路インタフェース部
３３    測定処理制御部
３４    被測定機器本体機能部
３５    指示入力部
３６    表示部
３７    記憶部
４１    通信ネットワーク・インタフェース部
４２    測定信号伝送路インタフェース部
４３    測定処理制御部
４４    測定機本体機能部
４７    記憶部
５１    通信ネットワーク・インタフェース部
５２    測定信号伝送路接続部
５３    測定処理制御部
５７    記憶部
６１    測定問合信号
６２    接続問合信号
６３    測定問合応答信号
６４    接続問合応答信号
６５    測定要求信号
６６    接続要求信号
６７    測定要求応答信号
６８    接続要求応答信号
６９    測定終了通知信号
７０    測定制御信号
７１    測定データ
７２    測定結果メッセージ
【図１】
0004120248.tif 000002
【図２】
0004120248.tif 000003
【図３】
0004120248.tif 000004
【図４】
0004120248.tif 000005
【図５】
0004120248.tif 000006
【図６】
0004120248.tif 000007